(57)【要約】【課題】冷媒運転時での圧縮機の起動直後に生じる弁の振動による騒音発生を解消する。【解決手段】室外ユニット２と接続されて各室内ユニット３Ａを同時に冷房運転／暖房運転／冷房運転と暖房運転とを混在して運転可能とする多室型空気調和装置１において、各室内ユニット３Ａの室内熱交換器２３Ａの一端に、室内吐出弁２５Ａと、第１の室内吸込弁２９Ａと、第２の室内吸込弁３０Ａ及びキャピラリーチューブ３１Ａの直列回路とが並列に接続され、室内側制御装置４１Ａは、室内ユニット３Ａを冷房運転する場合、室内吐出弁２５Ａを閉じ、第１及び第２の室内吸込弁２９Ａ、３０Ａを開くと共に、圧縮機１０の起動から所定時間、第１の室内吸込弁２９Ａを閉じる。【選択図】図１
2011247490.tif 000002
【特許請求の範囲】
【請求項１】
圧縮機と室外熱交換器とを備えた室外ユニットと、室内熱交換器を備えた室内ユニットとがユニット間配管により接続され、前記室外熱交換器の一端が、前記圧縮機の冷媒吐出管と冷媒吸込管とに択一的に接続されると共に、前記ユニット間配管は、前記冷媒吐出管に接続された高圧ガス管と、前記冷媒吸込管に接続された低圧ガス管と、前記室外熱交換器の他端に接続された液管とを有して構成され、前記室内熱交換器の一端が前記高圧ガス管、及び、低圧ガス管にそれぞれ室内吐出弁、及び、室内吸込弁装置を介して接続され、他端が室内膨張弁を介して前記液管に接続されて、複数台の前記室内ユニットを同時に冷房運転、若しくは、暖房運転、又は、冷房運転と暖房運転とを混在して運転可能とした多室型空気調和装置において、
前記室内吸込弁装置は、第１の室内吸込弁と、該第１の室内吸込弁に対して並列接続された第２の室内吸込弁及び減圧手段の直列回路とから成り、前記圧縮機、前記室内吐出弁、前記第１及び第２の室内吸込弁を制御する制御手段を備え、
該制御手段は、前記室内ユニットを冷房運転する場合、前記室内吐出弁を閉じ、前記第１及び第２の室内吸込弁を開くと共に、前記圧縮機の起動から所定時間、前記第１の室内吸込弁を閉じることを特徴とする多室型空気調和装置。
【請求項２】
圧縮機と室外熱交換器とを備えた室外ユニットと、室内熱交換器を備えた室内ユニットとがユニット間配管により接続され、前記室外熱交換器の一端が、前記圧縮機の冷媒吐出管と冷媒吸込管とに択一的に接続されると共に、前記ユニット間配管は、前記冷媒吐出管に接続された高圧ガス管と、前記冷媒吸込管に接続された低圧ガス管と、前記室外熱交換器の他端に接続された液管とを有して構成され、前記室内熱交換器の一端が前記高圧ガス管、及び、低圧ガス管にそれぞれ室内吐出弁、及び、室内吸込弁装置を介して接続され、他端が室内膨張弁を介して前記液管に接続されて、複数台の前記室内ユニットを同時に冷房運転、若しくは、暖房運転、又は、冷房運転と暖房運転とを混在して運転可能とした多室型空気調和装置において、
前記圧縮機、前記室内吐出弁及び前記室内吸込弁装置を制御する制御手段を備え、
該制御手段は、前記室内ユニットを暖房運転する場合、前記室内吸込弁装置を閉じ、前記室内吐出弁を開くと共に、前記圧縮機が停止した場合、前記室内吐出弁を閉じることを特徴とする多室型空気調和装置。
【請求項３】
前記室内吸込弁装置は、第１の室内吸込弁と、該第１の室内吸込弁に対して並列接続された第２の室内吸込弁及び減圧手段の直列回路とから成ることを特徴とする請求項２に記載の多室型空気調和装置。
【請求項４】
前記制御手段は、前記室内ユニットを冷房運転する場合、前記室内吐出弁を閉じ、前記第１及び第２の室内吸込弁を開くと共に、前記圧縮機の起動から所定時間、前記第１の室内吸込弁を閉じることを特徴とする請求項３に記載の多室型空気調和装置。
【発明の詳細な説明】
【技術分野】
【０００１】
本発明は、室外ユニットと複数台の室内ユニットとを、高圧ガス管と低圧ガス管と液管とから構成されるユニット間配管で接続して構成し、各室内ユニットを同時に冷房運転、暖房運転、冷房運転と暖房運転とを混在して運転可能とした多室型空気調和装置に関する。
【背景技術】
【０００２】
従来より、多室型空気調和装置では、室外熱交換器を備えた室外ユニットを１台、或いは複数台並設し、これら室外ユニットと、室内熱交換器を備えた複数台の室内ユニットとの間に、高圧ガス管と、低圧ガス管と、液管とから成るユニット間配管を設けてそれぞれ並列に接続している。室外ユニットでは、この室外ユニットに設けられた圧縮機の冷媒吐出管を分岐して、一方に高圧ガス管を接続し、他方に切替弁を介して室外熱交換器の一端側に接続している。圧縮機の冷媒吸込管を分岐して、一方に低圧ガス管を接続し、他方に切替弁を介して室外熱交換器の一端側に接続している。室外熱交換器の一端側には、これら切替弁によって冷媒吐出管と冷媒吸込管とが択一的に選択される。この室外熱交換器の他端側には、室外膨張弁を介して液管に接続される。
【０００３】
他方、各室内ユニットでは、室内熱交換器の一端側が分岐されており、一方に室内吐出弁を介して高圧ガス管が接続され、他方に室内吸込弁を介して低圧ガス管が接続される。室内熱交換器の他端側には、室内膨張弁を介して液管に接続される。
【０００４】
これにより、室内ユニットが冷房運転を行う場合には、室内ユニット側では、室内吸込弁を開放して室内吐出弁を閉じ、室内膨張弁を制御して液管から低圧ガス管へと室内熱交換器内に冷媒を流通させる。室内ユニットが暖房運転を行う場合には、室内吐出弁を開放して室内吸込弁を閉じ、室内膨張弁を制御して高圧ガス管から液管へと室内熱交換器内に冷媒を流通させる。
【０００５】
そして、室外ユニットでは、運転する室内ユニットが冷房運転のみの場合には、室外熱交換器が凝縮器として作用するように、運転する室内ユニットが暖房運転のみの場合には、室外熱交換器が蒸発器として作用するように、切替弁及び室外膨張弁を制御する。何れかの室内ユニットが冷房運転を行い、他の室内ユニットが同時に暖房運転を行う場合には、冷房運転する室内ユニットと、暖房運転する室内ユニットの能力差に応じて、室外熱交換器を凝縮器、或いは蒸発器として作用するように制御し、圧縮機から吐出された冷媒を循環させて空調運転を行う（例えば特許文献１参照）。
【先行技術文献】
【特許文献】
【０００６】
【特許文献１】特開２００４−２２６０１６号公報
【発明の概要】
【発明が解決しようとする課題】
【０００７】
しかしながら、上記従来の構成において、冷房運転の起動直後や運転時における圧縮機再起動直後では、室内ユニットの室内熱交換器内に流入する冷媒量が未だ安定していないため、室内熱交換器から流出してくる冷媒量が少なく、室内吸込弁を通過する流量が少ない。一般に、当該室内吸込弁に用いられる弁装置は、口径の大きいものを採用しており、流量が多い状態で開放状態が維持される構成とされている。そのため、このように室内吸込弁に流れる流量が少ない状態では、その自重により閉鎖してしまうため、冷媒流が所定の圧力となった状態で開放され、開放されることで圧力が低下し、また、閉鎖してしまうチャッタリング状態が生じてしまう。当該現象によって、室内吸込弁が振動し、これによる騒音は発生する問題が生じる。
【０００８】
他方、暖房運転時における圧縮機停止直後では、高圧ガス管内を流通する冷媒の圧力が急激に低下する。その際、室内吐出弁を介して室内熱交換器内に流入していく冷媒量が急激に低下していくため、これによって、室内吐出弁の開放状態が維持できなくなり、冷媒流が所定の圧力となった状態で開放され、開放されることで圧力が低下し、また、閉鎖してしまうチャッタリング状態が生じてしまう。その後、高圧ガス管内の冷媒圧力が安定した状態となると、室内吐出弁のチャッタリング現象が解消されるが、この間、室内吐出弁の振動によって、騒音が発生する問題が生じる。
【０００９】
本発明は、従来の技術的課題を解決するためになされたものであり、冷媒運転時における圧縮機の起動直後や、暖房運転時における圧縮機の停止直後に生じる弁の振動による騒音発生を解消することができる多室型空気調和装置を提供する。
【課題を解決するための手段】
【００１０】
上記課題を解決するために、本発明の多室型空気調和装置は、圧縮機と室外熱交換器とを備えた室外ユニットと、室内熱交換器を備えた室内ユニットとがユニット間配管により接続され、室外熱交換器の一端が、圧縮機の冷媒吐出管と冷媒吸込管とに択一的に接続されると共に、ユニット間配管は、冷媒吐出管に接続された高圧ガス管と、冷媒吸込管に接続された低圧ガス管と、室外熱交換器の他端に接続された液管とを有して構成され、室内熱交換器の一端が高圧ガス管、及び、低圧ガス管にそれぞれ室内吐出弁、及び、室内吸込弁装置を介して接続され、他端が室内膨張弁を介して液管に接続されて、複数台の室内ユニットを同時に冷房運転、若しくは、暖房運転、又は、冷房運転と暖房運転とを混在して運転可能としたものであって、室内吸込弁装置は、第１の室内吸込弁と、この第１の室内吸込弁に対して並列接続された第２の室内吸込弁及び減圧手段の直列回路とから成り、圧縮機、室内吐出弁、第１及び第２の室内吸込弁を制御する制御手段を備え、この制御手段は、室内ユニットを冷房運転する場合、室内吐出弁を閉じ、第１及び第２の室内吸込弁を開くと共に、圧縮機の起動から所定時間、第１の室内吸込弁を閉じることを特徴とする。
【００１１】
請求項２の発明の多室型空気調和装置は、圧縮機と室外熱交換器とを備えた室外ユニットと、室内熱交換器を備えた室内ユニットとがユニット間配管により接続され、室外熱交換器の一端が、圧縮機の冷媒吐出管と冷媒吸込管とに択一的に接続されると共に、ユニット間配管は、冷媒吐出管に接続された高圧ガス管と、冷媒吸込管に接続された低圧ガス管と、室外熱交換器の他端に接続された液管とを有して構成され、室内熱交換器の一端が高圧ガス管、及び、低圧ガス管にそれぞれ室内吐出弁、及び、室内吸込弁装置を介して接続され、他端が室内膨張弁を介して液管に接続されて、複数台の室内ユニットを同時に冷房運転、若しくは、暖房運転、又は、冷房運転と暖房運転とを混在して運転可能としたものであって、圧縮機、室内吐出弁及び室内吸込弁装置を制御する制御手段を備え、この制御手段は、室内ユニットを暖房運転する場合、室内吸込弁装置を閉じ、室内吐出弁を開くと共に、前記圧縮機が停止した場合、室内吐出弁を閉じることを特徴とする。
【００１２】
請求項３の発明は、上記発明において、室内吸込弁装置は、第１の室内吸込弁と、この第１の室内吸込弁に対して並列接続された第２の室内吸込弁及び減圧手段の直列回路とから成ることを特徴とする。
【００１３】
請求項４の発明は、上記発明において、制御手段は、室内ユニットを冷房運転する場合、室内吐出弁を閉じ、第１及び第２の室内吸込弁を開くと共に、圧縮機の起動から所定時間、第１の室内吸込弁を閉じることを特徴とする。
【発明の効果】
【００１４】
本発明によれば、圧縮機と室外熱交換器とを備えた室外ユニットと、室内熱交換器を備えた室内ユニットとがユニット間配管により接続され、室外熱交換器の一端が、圧縮機の冷媒吐出管と冷媒吸込管とに択一的に接続されると共に、ユニット間配管は、冷媒吐出管に接続された高圧ガス管と、冷媒吸込管に接続された低圧ガス管と、室外熱交換器の他端に接続された液管とを有して構成され、室内熱交換器の一端が高圧ガス管、及び、低圧ガス管にそれぞれ室内吐出弁、及び、室内吸込弁装置を介して接続され、他端が室内膨張弁を介して液管に接続されて、複数台の室内ユニットを同時に冷房運転、若しくは、暖房運転、又は、冷房運転と暖房運転とを混在して運転可能とした多室型空気調和装置において、室内吸込弁装置は、第１の室内吸込弁と、この第１の室内吸込弁に対して並列接続された第２の室内吸込弁及び減圧手段の直列回路とから成り、圧縮機、室内吐出弁、第１及び第２の室内吸込弁を制御する制御手段を備え、この制御手段は、室内ユニットを冷房運転する場合、室内吐出弁を閉じ、第１及び第２の室内吸込弁を開くと共に、圧縮機の起動から所定時間、第１の室内吸込弁を閉じることにより、冷媒運転時における圧縮機の起動直後は、室内熱交換器から流出した冷媒を減圧手段によって流量が制限された第２の室内吸込弁を介して圧縮機に帰還させることができる。
【００１５】
そのため、冷房運転時における圧縮機の起動直後は、室内熱交換器への冷媒が行き渡った状態ではないため、当該室内熱交換器から流出した冷媒量が少ない状態となり、第１の室内吸込弁として例えば口径の大きいものを採用している場合には、弁の開放状態を維持できなくなって、頻繁に開閉するチャッタリング現象が生じることとなるが、圧縮機の起動から所定時間、即ち、室内熱交換器からの冷媒流出量が安定するまでの間、当該第１の室内吸込弁を閉じることで、当該現象を未然に回避することができ、室内吸込弁の振動による騒音発生を改善することが可能となる。
【００１６】
請求項２の発明によれば、圧縮機と室外熱交換器とを備えた室外ユニットと、室内熱交換器を備えた室内ユニットとがユニット間配管により接続され、室外熱交換器の一端が、圧縮機の冷媒吐出管と冷媒吸込管とに択一的に接続されると共に、ユニット間配管は、冷媒吐出管に接続された高圧ガス管と、冷媒吸込管に接続された低圧ガス管と、室外熱交換器の他端に接続された液管とを有して構成され、室内熱交換器の一端が高圧ガス管、及び、低圧ガス管にそれぞれ室内吐出弁、及び、室内吸込弁装置を介して接続され、他端が室内膨張弁を介して液管に接続されて、複数台の室内ユニットを同時に冷房運転、若しくは、暖房運転、又は、冷房運転と暖房運転とを混在して運転可能とした多室型空気調和装置において、圧縮機、室内吐出弁及び室内吸込弁装置を制御する制御手段を備え、この制御手段は、室内ユニットを暖房運転する場合、室内吸込弁装置を閉じ、室内吐出弁を開くと共に、前記圧縮機が停止した場合、室内吐出弁を閉じることにより、暖房運転時における圧縮機の停止直後は、高圧ガス管内を流通する冷媒の圧力が急激に低下することで、室内吐出弁を介した室内熱交換器内への冷媒流量が少ない状態となり、室内吐出弁として例えば口径の大きいものを採用している場合には、弁の開放状態を維持できなくなって、頻繁に開閉するチャッタリング現象が生じることとなるが、圧縮機を停止した場合、室内吐出弁を閉じることで、当該現象を未然に回避することができ、室内吐出弁の振動による騒音発生を改善することが可能となる。
【００１７】
請求項３の発明によれば、上記発明において、室内吸込弁装置は、第１の室内吸込弁と、この第１の室内吸込弁に対して並列接続された第２の室内吸込弁及び減圧手段の直列回路とから成ることにより、室内ユニットを暖房運転から冷房運転に切り換えた場合に、それまで開放していた室内吐出弁を閉鎖して、それまで閉鎖していた第１の室内吸込弁をそのまま所定時間閉鎖し、同じくそれまで閉鎖していた第２の室内吸込弁のみを開放する制御を行うことが可能となる。
【００１８】
これにより、暖房運転によってそれまで高圧であった室内熱交換器内は、冷房運転が開始されることで、減圧手段と直列接続された第２の室内吸込弁より除去に圧力を低下させて、所定時間経過後、即ち、十分に室内熱交換器内を低圧とした状態で、第１の室内吸込弁を開放することができる。従って、室内熱交換器内の圧力変化が急激に起こることによる第１の室内吸込弁の振動を未然に回避することができ、騒音発生を解消することができる。
【００１９】
また、請求項４の発明によれば、上記発明に加えて、制御手段は、室内ユニットを冷房運転する場合、室内吐出弁を閉じ、第１及び第２の室内吸込弁を開くと共に、圧縮機の起動から所定時間、第１の室内吸込弁を閉じることにより、冷媒運転時における圧縮機の起動直後は、室内熱交換器から流出した冷媒を減圧手段によって流量が制限された第２の室内吸込弁を介して圧縮機に帰還させることができる。
【００２０】
そのため、冷房運転時における圧縮機の起動直後は、室内熱交換器への冷媒が行き渡った状態ではないため、当該室内熱交換器から流出した冷媒量が少ない状態となり、第１の室内吸込弁として例えば口径の大きいものを採用している場合には、弁の開放状態を維持できなくなって、頻繁に開閉するチャッタリング現象が生じることとなるが、圧縮機の起動から所定時間、即ち、室内熱交換器からの冷媒流出量が安定するまでの間、当該第１の室内吸込弁を閉じることで、当該現象を未然に回避することができ、室内吸込弁の振動による騒音発生を改善することが可能となる。
【図面の簡単な説明】
【００２１】
【図１】本発明を適用した多室型空気調和装置の冷媒回路図である。
【図２】各弁の制御説明図である。
【発明を実施するための形態】
【００２２】
以下、本発明の実施の形態について、図面を参照して詳細に説明する。図１は本発明を適用した多室型空気調和装置１の一実施形態を示す冷媒回路図である。本実施例における多室型空気調和装置１は、単一の室外ユニット２と、複数台の室内ユニット３Ａ〜３Ｃとを、高圧ガス管４と低圧ガス管５と液管６とから成るユニット間配管７と、通信配線８とで接続して構成されている。
【００２３】
室外ユニット２には、ガスエンジン等の内燃機関１１が設けられており、この内燃機関１１の駆動力で駆動される圧縮機１０と、圧縮機１０から吐出された冷媒を外気と熱交換させる室外熱交換器１２と、前記冷媒の減圧を行う室外膨張弁１３と、内燃機関１１を冷却する冷却水から前記冷媒への熱回収を行う熱回収器１４と、前記圧縮機１０へ吸引される前記冷媒の気液分離を行うアキュームレータ１５とが冷媒配管で接続されて備えられている。
【００２４】
更に、この室外ユニット２の制御と、後述する室内ユニット３Ａ〜３Ｃ内に設けられた室内側制御装置４１Ａ〜４１Ｃとの通信を行う室外側制御装置４０が通信配線８により接続されて、当該室外ユニット２内に設けられている。
【００２５】
圧縮機１０の吐出側に接続された冷媒吐出管１６は分岐し、一方は、圧縮機１０から吐出された冷媒を室外ユニット２から流出させる方向を順方向とする逆止弁２１を介して高圧ガス管４に接続されており、他方は、切替弁１８が介設されて室外熱交換器１２の一端に接続されている。
【００２６】
また、圧縮機１０の吸込側に接続された冷媒吸込管１７は、アキュームレータ１５及び熱回収器１４を経由して分岐し、一方は、各室内ユニット３Ａ〜３Ｃを循環して帰還した冷媒を室外ユニット２へと流入させる方向を順方向とする逆止弁２２を介して低圧ガス管５が接続されており、他方は、切替弁１９が介設されて室外熱交換器１２の前記一端に接続されている。
【００２７】
室外熱交換器１２の前記一端は、分岐されて切替弁１８、１９に接続されており、他端は、室外膨張弁１３を介して液管６に接続されている。これら切替弁１８、１９は、室外側制御装置４０に接続されて、択一的に選択され、何れか一方のみが開放される構成とされている。
【００２８】
室内ユニット３Ａには、室内熱交換器２３Ａ及び室内膨張弁２４Ａが冷媒配管で接続されており、室内熱交換器２３Ａの一端は分岐して、一方は、室内吐出弁２５Ａが介設された吐出枝管２６Ａを介して高圧ガス管４に接続されている。他方は、室内吸込装置２７Ａが介設された吸込枝管２８Ａを介して低圧ガス管５に接続されている。
【００２９】
ここで、室内吸込装置２７Ａは、第１の室内吸込弁２９Ａと、この第１の室内吸込弁２９Ａをバイパスするように当該第１の室内吸込弁２９Ａに対して、第２の室内吸込弁３０Ａ及び減圧手段としてのキャピラリーチューブ３１Ａからなる直列回路が並列に接続されている。本実施例において、当該第１の室内吸込弁２９Ａは、比較的口径の大きな弁装置にて構成されており、第２の室内吸込弁３０Ａがキャピラリーチューブ３１Ａを介して接続されていることからも、第２の室内吸込弁３０Ａへの冷媒流量は、第１の室内吸込弁２９Ａへの冷媒流量と比して著しく小さいものとされる。
【００３０】
これら室内吐出弁２５Ａと、室内吸込装置２７Ａを構成する第１の室内吸込弁２９Ａと第２の室内吸込弁３０Ａは、室内側制御装置４１Ａに接続されて、開閉制御される。
【００３１】
そして、この室内熱交換器２３Ａの他端は、室内膨張弁２４Ａが介設された液枝管３２Ａを介して液管６に接続されている。
【００３２】
更に、この室内ユニット３Ａの制御と、前記室外ユニット２に設けられた室外側制御装置４０との通信を行う室内側制御装置４１Ａが通信配線８により接続されて、当該室内ユニット３Ａ内に設けられている。尚、室内ユニット３Ｂ、３Ｃは、何れも室内ユニット３Ａと同様の構成とされているため、説明を省略する。
【００３３】
そして、これら室外ユニット２と、各室内ユニット３Ａ〜３Ｃとはユニット間配管７により接続されて、多室型空気調和装置１は、室内ユニット３Ａ、３Ｂ、３Ｃを同時に冷房運転、若しくは、暖房運転、又は、冷房運転と暖房運転とを混在して運転可能としている。
【００３４】
次に、多室型空気調和装置１の動作について場合に分けて説明する。
【００３５】
（１）同時全冷房運転
まず、室内ユニット３Ａ、３Ｂ、３Ｃを同時に冷房運転する場合について説明する。この場合、各室内ユニット３Ａ〜３Ｃの各室内側制御装置４１Ａ〜４１Ｃから室外側制御装置４０に、冷房運転での運転開始の指示が通信配線８を通じて送信され、室外ユニット２では、室外側制御装置４０から室外熱交換器１２の一方の切替弁１８が開放されると共に、他方の切替弁１９が閉鎖されて室外膨張弁１３の開度が全開とされ、内燃機関１１及び圧縮機１０の運転が開始される。同時に室内ユニット３Ａ〜３Ｃでは、室内側制御装置４１Ａ〜４１Ｃから室内吐出弁２５Ａ〜２５Ｃが閉じられると共に、第１の室内吸込弁２９Ａ〜２９Ｃ及び第２の室内吸込弁３０Ａ〜３０Ｃが開放されて、各室内膨張弁２４Ａ〜２４Ｃは絞った開度とされる。
【００３６】
これにより、圧縮機１０から吐出された冷媒は、冷媒吐出管１６、切替弁１８を介して室外熱交換器１２に流入し、この室外熱交換器１２にて凝縮液化した後、室外膨張弁１３と液管６を経て各液枝管３２Ａ〜３２Ｃに分流され、各室内ユニット３Ａ〜３Ｃの室内膨張弁２４Ａ〜２４Ｃにて減圧される。その後、冷媒は、各室内熱交換器２３Ａ〜２３Ｃにて蒸発気化して、冷却作用を発揮した後、それぞれ室内吸込装置２７Ａ〜２７Ｃの第１及び第２の室内吸込弁２９Ａ〜２９Ｃ及び３０Ａ〜３０Ｃとを並流した後、吸込枝管２７Ａ〜２７Ｃを経て低圧ガス管５へと流入し、逆止弁２２、冷媒吸込管１７、熱回収器１４、アキュームレータ１５を経て圧縮機１０に吸入される。このように、各室内熱交換器２３Ａ〜２３Ｃは、蒸発器として作用し、全室内ユニット３Ａ、３Ｂ、３Ｃが同時に冷房運転をする。
【００３７】
（２）同時全暖房運転
次に、室内ユニット３Ａ、３Ｂ、３Ｃを同時に暖房運転する場合について説明する。この場合、各室内ユニット３Ａ〜３Ｃの各室内側制御装置４１Ａ〜４１Ｃから室外側制御装置４０に、暖房運転での運転開始の指示が通信配線８を通じて送信され、室外ユニット２では、室外側制御装置４０から室外熱交換器１２の一方の切替弁１８が閉じられると共に、他方の切替弁１９が開放されて室外膨張弁１３は絞った開度とされ、内燃機関１１及び圧縮機１０の運転が開始される。同時に室内ユニット３Ａ〜３Ｃでは、室内側制御装置４１Ａ〜４１Ｃから室内吐出弁２５Ａ〜２５Ｃが開放されると共に、第１の室内吸込弁２９Ａ〜２９Ｃ及び第２の室内吸込弁３０Ａ〜３０Ｃが閉鎖されて、各室内膨張弁２４Ａ〜２４Ｃは全開の開度とされる。
【００３８】
これにより、圧縮機１０から吐出された冷媒は、冷媒吐出管１６、逆止弁２１、高圧ガス管４を介して各吐出枝管２６Ａ〜２６Ｃに分流し、各室内吐出弁２５Ａ〜２５Ｃを経て各室内熱交換器２３Ａ〜２３Ｃに流入し、当該室内熱交換器２３Ａ〜２３Ｃにて凝縮液化して放熱による加熱作用を発揮した後、室内膨張弁２４Ａ〜２４Ｃ、各液枝管３２Ａ〜３２Ｃを経て液管６にて合流する。その後、冷媒は、液管６を流通し、室外ユニット２の室外膨張弁１３にて減圧された後、室外熱交換器１２にて蒸発気化して、切替弁１９、冷媒吸込管１７、熱回収器１４、アキュームレータ１５を経て圧縮機１０に吸入される。このように、各室内熱交換器２３Ａ〜２３Ｃは、凝縮器として作用し、全室内ユニット３Ａ、３Ｂ、３Ｃが同時に暖房運転をする。
【００３９】
（３）全体で冷却負荷が暖房負荷より多い場合の運転
一方、同時に、例えば、室内ユニット３Ａ、３Ｂが冷房運転を行い、室内ユニット３Ｃが暖房運転する場合には、室内側制御装置４１Ａ及び４１Ｂからは冷房運転開始の指示が、室内側制御装置４１Ｃからは暖房運転開始の指示がそれぞれ通信配線８を介して室外側制御装置４０へ送信される。室外ユニット２では、室外側制御装置４０から室外熱交換器１２の一方の切替弁１８が開放されると共に、他方の切替弁１９が閉じられ、室外膨張弁１３の開度が全開とされ、内燃機関１１及び圧縮機１０の運転が開始される。
【００４０】
そして、冷房運転する室内ユニット３Ａ、３Ｂでは、室内側制御装置４１Ａ、４１Ｂから室内吐出弁２５Ａ、２５Ｂが閉じられると共に、第１の室内吸込弁２９Ａ、２９Ｂ及び第２の室内吸込弁３０Ａ、３０Ｂが開放されて、室内膨張弁２４Ａ、２４Ｂは絞った開度とされる。
【００４１】
他方、暖房運転する室内ユニット３Ｃでは、室内側制御装置４１Ｃから室内吐出弁２５Ｃが開放されると共に、第１及び第２の室内吸込弁２９Ｃ、３０Ｃが閉鎖されて、室内膨張弁２４Ｃは全開の開度とされる。
【００４２】
これにより、圧縮機１０の冷媒吐出管１６から吐出された冷媒の大部分が、切替弁１８を経て室外熱交換器１２に流入してそこで凝縮液化し、室外膨張弁１３を介して液管６に流入する。吐出された冷媒の残りの一部が逆止弁２１、高圧ガス管４、吐出枝管２６Ｃを順次経て暖房する室内ユニット３Ｃの室内吐出弁２５Ｃ、室内熱交換器２３Ｃに流入し、そこで凝縮液化する。そして、室内膨張弁２４Ｃ、液枝管３２Ｃを介して液管６に流入し、室外熱交換器１２で凝縮液化された冷媒と合流して、液枝管３２Ａ、３２Ｂへと分流され、室内ユニット３Ａ、３Ｂの室内膨張弁２４Ａ、２４Ｂで減圧された後、それぞれの室内熱交換器２３Ａ、２３Ｂで蒸発気化される。
【００４３】
その後、冷媒は、それぞれの第１の室内吸込弁２９Ａ、２９Ｂ及び第２の室内吸込弁３０Ａ、３０Ｂを並流して吸込枝管２８Ａ、２８Ｂにて合流した後、更に低圧ガス管５にて合流して逆止弁２２、冷媒吸込管１７、熱回収器１４、アキュームレータ１５を経て圧縮機１０に吸入される。このように、室内熱交換器２３Ｃは、凝縮器として作用し、室内ユニット３Ｃは暖房運転し、室内熱交換器２３Ａ、２３Ｂは、蒸発器として作用し、室内ユニット３Ａ、３Ｂが冷房運転をする。
【００４４】
（４）全体で冷却負荷が暖房負荷より少ない場合の運転
他方、同時に、例えば、室内ユニット３Ａが冷房運転を行い、室内ユニット３Ｂ、３Ｃが暖房運転する場合には、室内側制御装置４１Ａからは冷房運転開始の指示が、室内側制御装置４１Ｂ、４１Ｃからは暖房運転開始の指示がそれぞれ通信配線８を介して室外側制御装置４０へ送信される。室外ユニット２では、室外側制御装置４０から室外熱交換器１２の一方の切替弁１８が閉鎖されると共に、他方の切替弁１９が開放され、室外膨張弁１３の開度が絞り気味に制御とされ、内燃機関１１及び圧縮機１０の運転が開始される。
【００４５】
そして、冷房運転する室内ユニット３Ａでは、室内側制御装置４１Ａから室内吐出弁２５Ａが閉じられると共に、第１、第２の室内吸込弁２９Ａ、３０Ａが開放されて、室内膨張弁２４Ａは絞った開度とされる。
【００４６】
他方、暖房運転する室内ユニット３Ｂ、３Ｃでは、室内側制御装置４１Ｂ、４１Ｃから室内吐出弁２５Ｂ、２５Ｃが開放されると共に、第１及の室内吸込弁２９Ｂ、２９Ｃ及び第２の室内吸込弁３０Ｂ、３０Ｃが閉鎖されて、室内膨張弁２３Ｂ、２４Ｃは全開の開度とされる。
【００４７】
これにより、圧縮機１０の冷媒吐出管１６から吐出された冷媒は、逆止弁２１、高圧ガス管４を経て、各吐出枝管２６Ｂ、２６Ｃへと分流され、暖房する室内ユニット３Ｂ、３Ｃの室内吐出弁２５Ｂ、２５Ｃを経て室内熱交換器２３Ｂ、２３Ｃに流入してそこで凝縮液化する。そして、室内膨張弁２４Ｂ、２４Ｃ、液枝管３２Ｂ、３２Ｃを介して液管６にて合流する。
【００４８】
そして、前記冷媒の一部は、液枝管３２Ａに分流し、室内膨張弁２４Ａにて減圧された後、室内熱交換器２３Ａで蒸発気化される。その後、冷媒は、それぞれの第１及び第２の室内吸込弁２９Ａ、３０Ａを並流して吸込枝管２８Ａ、低圧ガス管５、逆止弁２２を経て、冷媒吸込管１７に流入する。
【００４９】
また、残りの冷媒は、液管６を経て室外膨張弁１３にて減圧された後、室外熱交換器１２で蒸発気化されて、切替弁１９を経て冷媒吸込管１７に流入し、室内熱交換器２３Ａにて蒸発気化された冷媒と合流して、熱回収器１４、アキュームレータ１５を経て圧縮機１０に吸入される。
【００５０】
このように、室内熱交換器２３Ｂ、２３Ｃは、凝縮器として作用し、室内ユニット３Ｂ、３Ｃは暖房運転し、室内熱交換器２３Ａは、蒸発器として作用し、室内ユニット３Ａは冷房運転をする。
【００５１】
以上のように、例えば、冷房運転する室内ユニット３Ａ、３Ｂ、３Ｃの冷房負荷が、暖房運転する室内ユニット３Ａ、３Ｂ、３Ｃの暖房負荷よりも多いときは、室外熱交換器１２を凝縮器として作用させ、逆に、冷房運転する室内ユニット３Ａ、３Ｂ、３Ｃの冷房負荷が、暖房運転する室内ユニット３Ａ、３Ｂ、３Ｃの暖房負荷よりも少ないときは、室外熱交換器１２を蒸発器として作用させることにより、任意の室内ユニット３Ａ、３Ｂ、３Ｃを同時に冷暖房運転することができる。
【００５２】
次に、図２の制御説明図を参照して各室内ユニット３Ａ〜３Ｃにおいて暖房運転から冷房運転への運転切替時、冷房運転における圧縮機１０の起動時、暖房運転における圧縮機１０の停止時の各室内吐出弁２５Ａ〜２５Ｃ、各第１及び第２の室内吸込弁２９Ａ〜２９Ｃ、３０Ａ〜３０Ｃの制御について説明する。ここでは、室内ユニット３Ａの場合を例に挙げて説明するが、他の室内ユニット３Ｂ、３Ｃについても同様であるため、説明を省略する。
【００５３】
（５）暖房運転から冷房運転への切り替え
まず、暖房運転から冷房運転に切り替えた場合について説明する。この場合、暖房運転が行われていることで、室内吐出弁２５Ａは開放され、第１及び第２の室内吸込弁２９Ａ、３０Ａは閉鎖され、室内熱交換器２３Ａ内は高圧とされている。この状況で、冷房運転に切り替えられると、室内側制御装置４１Ａは、まず、室内吐出弁２５Ａを閉じ、高圧冷媒の室内熱交換器２３Ａへの流入を停止する。同時に、又は、当該吐出弁の動作の前後において、第２の室内吸込弁３０Ａのみを開放する。
【００５４】
この時点で、第１の室内吸込弁２９Ａは閉鎖されているため、室内熱交換器２３Ａ内の高圧冷媒は、第１の室内吸込弁２９Ａに流入することなく、減圧手段としてのキャピラリーチューブ３１Ａと直列に接続された第２の室内吸込弁３０Ａに流入し、徐々に低圧ガス管５内に流出していく。
【００５５】
そして、室内熱交換器２３Ａ内の圧力が冷媒回路の低圧側とほぼ均衡するのに必要な時間（所定時間）が経過した後、室内側制御装置４１Ａは第２の室内吸込弁２９Ａを開放する。
【００５６】
このように、室内吸込装置２７Ａを構成する第１及び第２の室内吸込弁２９Ａ、３０Ａを段階的に開放することによって、第２の室内吸込弁３０Ａよりも大きな流量が流れる比較的口径の大きい第１の室内吸込弁２９Ａに、高圧であった室内熱交換器２３Ａ内の冷媒が急激に流入し、低圧となることで、その圧力差によって当該第１の室内吸込弁２９Ａに振動が発生し、騒音を生じる不都合を未然に回避することが可能となる。
【００５７】
（６）冷房運転における圧縮機の起動時制御
次に、冷房運転における圧縮機１０の起動時における各弁の制御について説明する。冷房運転では、室内側制御装置４１Ａは、室内吐出弁２５Ａを閉鎖し、室内吸込装置２７Ａを構成する第１及び第２の室内吸込弁２９Ａ、３０Ａを開放する。ここで、室内ユニット３Ａが冷房運転の開始直後や、当該冷房運転における圧縮機１０のサーモサイクル運転における圧縮機起動時では、室内熱交換器２３Ａ内への冷媒が行き渡っていないため、当該熱交換器内に流入する冷媒量は少ない。
【００５８】
そのため、室内側制御装置４１Ａは、まず、室内吐出弁２５Ａと、第１の室内吸込弁２９Ａを閉鎖した状態とし、第２の室内吸込弁３０Ａのみを開放する。このようにすることで、液管６から流入し、室内膨張弁２４Ａで減圧され、室内熱交換器２３Ａにて蒸発気化した冷媒は、キャピラリーチューブ３１Ａによって流量が制限された第２の室内吸込弁３０Ａを経て低圧ガス管５に流出し、圧縮機１０に帰還する。そして、室内側制御装置４１Ａは、圧縮機１０の起動から所定時間経過後、第１の室内吸込弁２９Ａをも開放する。
【００５９】
冷房運転時における圧縮機１０の起動直後は、室内熱交換器２３Ａへの冷媒が行き渡った状態ではないため、当該室内熱交換器２３Ａから流出した冷媒量が少ない状態となる。第１の室内吸込弁２９Ａとして例えば口径の大きいものを採用している場合には、室内側制御装置４１Ａによって、ソレノイドによって弁を開放するように制御しても、所定量以上の流量が確保できない状況では、弁の開放状態を維持できる圧力が確保できなくなり、頻繁に開閉するチャッタリング現象が生じることとなる。しかしこのように、室内ユニット３Ａを冷房運転する場合に、圧縮機１０の起動から所定時間、即ち、室内熱交換器からの冷媒流出量が安定するまでの間、第１の室内吸込弁２９Ａを閉じることにより、当該現象を未然に回避することができ、第１の室内吸込弁２９Ａの振動による騒音発生を改善することが可能となる。
【００６０】
（７）暖房運転における圧縮機の停止時制御
次に、暖房運転における圧縮機１０の停止時における各弁の制御について説明する。暖房運転では、室内側制御装置４１Ａは、室内吐出弁２５Ａを開放し、室内吸込装置２７Ａを構成する第１及び第２の室内吸込弁２９Ａ、３０Ａを閉鎖する。
【００６１】
室内ユニット３Ａが暖房運転の停止直後や、当該暖房運転での圧縮機１０のサーモサイクル運転における圧縮機停止時では、高圧ガス管４内を流通する冷媒の圧力が急激に低下する。ここで、室内吐出弁２５Ａを開放していた場合には、当該室内吐出弁２５Ａを介した室内熱交換器２３Ａ内への冷媒流量が不安定な状態となり、室内吐出弁２５Ａとして例えば口径の大きいものを採用している場合には、弁の開放状態を維持できる圧力を確保できなくなって、頻繁に開閉するチャッタリング現象が生じることとなる。
【００６２】
本発明のように、室内側制御装置４１Ａは、圧縮機１０の停止直後は、室内吐出弁２５Ａと、第１及び第２の室内吸込弁２９Ａ、３０Ａを閉鎖した状態とすることで、室内吐出弁２５Ａが圧力が急激に変化する冷媒によって頻繁に開閉するチャッタリング現象を未然に回避することができる。これにより、室内吐出弁の振動による騒音発生を改善することが可能となる。
【００６３】
尚、当該高圧ガス管４内の圧力変動による室内吐出弁２５Ａへの不具合発生は、圧縮機１０の停止直後、所定時間、例えば３０秒程度であるため、暖房運転での圧縮機１０のサーモサイクル運転における圧縮機１０停止から少なくとも当該時間が経過した後である圧縮機１０の再起動時には、室内側制御装置４１Ａは、支障なく室内吐出弁２５Ａを開放でき、室内熱交換器２３Ａへの高温冷媒の流入、凝縮液化が可能となる。
【符号の説明】
【００６４】
１    多室型空気調和装置
２    室外ユニット
３Ａ〜３Ｃ  室内ユニット
４    高圧ガス管
５    低圧ガス管
６    液管
７    ユニット間配管
８    通信配線
１０    圧縮機
１２    室外熱交換器
１３    室外膨張弁
１６    冷媒吐出管
１７    冷媒吸込管
１８、１９  切替弁
２１、２２  逆止弁
２３Ａ〜２３Ｃ  室内熱交換器
２４Ａ〜２４Ｃ  室内膨張弁
２５Ａ〜２５Ｃ  室内吐出弁
２６Ａ〜２６Ｃ  吐出枝管
２７Ａ〜２７Ｃ  室内吸込装置
２８Ａ〜２８Ｃ  吸込枝管
２９Ａ〜２９Ｃ  第１の室内吸込弁
３０Ａ〜３０Ｃ  第２の室内吸込弁
３１Ａ〜３１Ｃ  キャピラリーチューブ（減圧手段）
３２Ａ〜３２Ｃ  液枝管
４０    室外側制御装置
４１Ａ〜４１Ｃ  室内側制御装置
【図１】
2011247490.tif 000003
【図２】
2011247490.tif 000004